(57)【要約】【課題】安価なカメラであっても、ストロボ撮影において、銀塩フィルムに撮影された被写体像を、電子撮影された表示部で同じ状態に写し出すことができるようにしたカメラを提供する。【解決手段】被写体像が光電変換されて発生する電荷を、電子シャッタが作動する露光時間Ｄに、受光部に蓄積されるようにしたＣＣＤ３と、該ＣＣＤ３から出力される電気信号に基づいて被写体を映し出す表示部１２と、前記被写体を照明するストロボ装置２と、前記ストロボ装置２の発光と同期して、被写体像を銀塩フィルムに露光するように開閉するレンズシャッタとが備えられているカメラであって、前記露光時間Ｄが被写体までの距離および被写体の明るさに基づいて算出される。【選択図】  図２
2004328368.tif 000002
【特許請求の範囲】
【請求項１】
被写体像が光電変換されて発生する電荷を、電子シャッタが作動する露光時間に、受光部に蓄積されるようにした撮像素子と、該撮像素子から出力される電気信号に基づいて被写体を映し出す表示部と、前記被写体を照明するストロボ装置とが備えられているカメラであって、
前記露光時間が被写体までの距離および被写体の明るさに基づいて算出されることを特徴とするカメラ。
【請求項２】
前記ストロボ装置の発光と同期して、被写体像を銀塩フィルムに露光するように開閉するレンズシャッタが備えられていることを特徴とする請求項１に記載のカメラ。
【発明の詳細な説明】
【０００１】
【発明の属する技術分野】
本発明は、被写体像を撮像素子によって光電変換し、電気信号に変換された画像データを表示部に写し出すようにした電子撮影の機能と、被写体を照明するストロボ装置とが備えられているカメラに関し、特に、被写体像を銀塩フィルムに露光する銀塩撮影の機能も有しているカメラに関する。
【０００２】
【従来の技術】
カメラには、銀塩フィルムに露光された被写体像が、電子撮影によって即時に表示部に映し出されるようにしたものがある。このようなカメラにあっては、被写体が銀塩フィルムにどのように撮影されたかを表示部で確認し、良好に撮影されているときは、二度目の撮影をする必要がなく、フィルムを無駄使いしないようにすることができる。
【０００３】
電子撮影は、被写体像をＣＣＤ（Ｃｈａｒｇｅ    Ｃｏｕｐｌｅｄ    Ｄｅｖｉｃｅ）などの撮像素子（以下、「ＣＣＤ」という。）によって光電変換し、電気信号に変換された画像データを記録媒体に記録するとともに、例えば液晶表示素子からなる表示部に映し出すようにしたものである。
【０００４】
なお、電子撮影および銀塩撮影が可能で、いずれの撮影であってもストロボ撮影時に、適正に露出されるようにした撮影動作制御装置が特開２０００−１８０９５１号公報に開示されている。
【０００５】
【特許文献１】
特開２０００−１８０９５１号公報
【０００６】
【発明が解決しようとする課題】
特開２０００−１８０９５１号公報に開示された撮影動作制御装置は、電子撮影系と銀塩撮影系とにそれぞれシャッタ機能と可変絞り機能とが備えられたカメラに組み込まれ、レンズシャッタが適正な絞り値まで開いたときにストロボが発光し、このストロボ発光時の電子シャッタの絞り値に対応して、ＣＣＤから出力される画像データに補正係数を乗じることにより、銀塩撮影と電子撮影とが同じ露光状態となるようにされている。
【０００７】
したがって、前記公報に開示された撮影動作制御装置は、露光時間と絞り値を調整することができるレンズシャッタと電子シャッタとを備えたカメラに組み込むことができる。
【０００８】
しかし、このような機能を備えたカメラは高価であり、安価なカメラでは、前記撮影動作制御装置を組み込むことができない。このような機能を備えていない安価なカメラでは、銀塩フィルムに撮影された被写体像が電子撮影されても、被写体像が表示部に大まかに映し出されるだけであるため、被写体像が銀塩フィルムに良好に撮影されたかどうかを判断しにくいという問題がある。
【０００９】
また、電子撮影専用の安価なカメラにあっては、ストロボ撮影時において、被写体までの距離や周囲の明るさに関係なく被写体像が光電変換され、電子撮影される。したがって、例えば、被写体までの距離が近いときは、ストロボ光が被写体を強く照明しすぎ、被写体が白っぽく撮影され、逆に、被写体までの距離が遠い時は、ストロボ光が被写体を弱く照明し、被写体が暗く撮影されてしまうという問題もある。
【００１０】
そこで、本発明は、安価なカメラであっても、ストロボ撮影において、被写体までの距離や周囲の明るさに合わせて最適に電子撮影することができるようにすることを第１の課題とし、電子撮影されて表示部に映し出される被写体像によって銀塩フィルムにどのように撮影されたかを的確に判断することができるようにしたカメラを提供することを第２の課題とする。
【００１１】
【課題を解決するための手段】
本発明に係るカメラは、被写体像が光電変換されて発生する電荷を、電子シャッタが作動する露光時間に、受光部に蓄積されるようにした撮像素子と、該撮像素子から出力される電気信号に基づいて被写体を映し出す表示部と、前記被写体を照明するストロボ装置とが備えられているカメラであって、前記露光時間が被写体までの距離および被写体の明るさに基づいて算出されることを特徴としている。
【００１２】
このカメラによれば、被写体像が光電変換されて作られる電荷を受光部に蓄積する露光時間が、被写体までの距離および被写体の明るさに基づいて算出されるため、被写体がストロボ装置によって照明されたときに、被写体像は最適な光量で撮像素子に入射され、最高の画質で表示部に映し出される。
【００１３】
また、前記カメラにおいて、前記ストロボ装置の発光と同期して、被写体像を銀塩フィルムに露光するように開閉するレンズシャッタが備えられていることが好ましい。このカメラは、電子撮影と銀塩撮影とが可能であり、被写体がストロボ装置によって照明されたときに、銀塩撮影、電子撮影いずれにおいても最適な明るさの画質に撮影することができるため、電子撮影によって表示部に映し出される被写体像を、銀塩フィルムに撮影された被写体像と判断することができる。
【００１４】
【発明の実施の形態】
本発明に係るカメラの一実施形態について、図１から図３を参照しながら説明する。このカメラは図１に示すように、レンズ部１、ストロボ装置２のほか、電子撮影のための撮像素子３およびデジタル撮影制御装置（以下、「ＤＳＣ制御装置」という。）４、そして銀塩撮影のための銀塩カメラ制御装置５などが備えられている。
【００１５】
レンズ部１は、カメラボディ（図示せず）の前面に配置され、複数の撮影レンズ６、自動的にピントを合わせるために撮影レンズ６を移動させるモータ（図示せず）、撮影レンズ６と撮像素子３との間に配置される減光（ＮＤ：Ｎｅｕｔｒａｌ    Ｄｅｎｃｉｔｙ）フィルタ（図示せず）などを備えている。ＮＤフィルタは、光の性質を変えずに光量のみを減衰させるもので、遠景のみをぼかした撮影とすることができる。
【００１６】
撮像素子３は、レンズ部１を通過した被写体像を入射してアナログの電気信号に変換するＣＣＤあるいはＣＭＯＳセンサなどによって構成されるが、ここでは一例として、トランスファー型ＣＣＤを使用する場合について説明する。このＣＣＤ３には、被写体像の光束が結像し、光電変換によって発生する電荷を蓄積する受光部、蓄積した電荷を一箇所に集める転送部、そして受光部が電荷を蓄積する露光時間を制御する電子シャッタなど（いずれも図示せず）が備えられている。受光部に蓄積された電荷は、一定のタイミングで転送部に転送される。そして、電子シャッタが作動すると、作動する以前に受光した電荷がオーバーフロードレインに掃き出され、予め決められた露光時間だけ受光部が露光し、光電変換によって作られる電荷が受光部に蓄積され、露光時間経過後に転送部に転送される。
【００１７】
そして、ＣＣＤ３によって電気信号に変換されたアナログ信号は、自動利得制御回路７によって増幅され、Ａ／Ｄ変換器８によってデジタル信号に変換され、信号処理部９に入力される。信号処理部９では、デジタル信号に変換された画像データを輝度信号と色差信号に変換し、この信号をＤＳＣ制御装置４に入出力する。
【００１８】
ＤＳＣ制御装置４では、被写体に対してＣＣＤ３が必要とする光量（以下、「ＣＣＤガイドナンバー」という。）を算出する。ＣＣＤガイドナンバーは次の式から算出される。
【００１９】
（ＣＣＤガイドナンバー）＝（ＣＣＤに対するレンズの明るさ）＋（ＮＤフィルタによる光の減衰量）＋（レンズから被写体までの距離）−（ＣＣＤ感度）−（ＡＧＣゲイン）＋（計算定数）
ＣＣＤ感度は、ＣＣＤ３ごとに測定され、ＣＣＤ３の基準の感度に誤差の感度を加減したもので、カメラごとに設定される定数である。また、ＡＧＣゲインは、ＣＣＤ３から出力された電気信号を、周囲の明るさや距離に応じて自動利得制御回路７で増幅する変数である。ＡＧＣゲインは通常最低値（＝０）に設定され周囲が暗いときは、ＡＧＣゲインを大きくしなければならないが、ＡＧＣゲインが大きくなりすぎるとノイズが目立つため、ある暗さになると、ストロボ装置２が自動的に作動するようになっている。このような変数および定数から算出されるＣＣＤガイドナンバーは、被写体までの距離と周囲の明るさによって変動し、レンズから被写体までの距離が長いほど、また被写体が暗いほど大きくなる。
【００２０】
そして、ＣＣＤガイドナンバーから、ＤＳＣ制御装置４はストロボ装置２のキセノン管１０が発光し始めてから電子シャッタが作動し始めるまでの時間（以下、「算定時間」という。）Ｂを算出する（図３参照）。キセノン管１０が発光し始めたことをＤＳＣ制御装置４が検知するようにすることは、回路が複雑になることから、ＤＳＣ制御装置４は、容易に検知することのできるストロボトリガがＯＮとなった時からキセノン管１０が発光するまでの所定の時間（以下、「励起時間」という。）Ａに算定時間Ｂを加算した時間（以下、「蓄積開始時間」という。）Ｃを算出し、ストロボトリガがＯＮとなった時から蓄積開始時間Ｃが経過した時に電子シャッタが作動を開始するように制御する。
【００２１】
電子シャッタは、蓄積開始時間Ｃが経過した時を基準とした所定の時間（以下、「露光時間」という。）Ｄだけ光電変換によって作られる電荷を受光部に蓄積するように制御する。したがって、被写体までの距離が長い、また被写体が暗いなど、ＣＣＤ３が光量を多く必要とするとき、すなわちＣＣＤガイドナンバーが大きいときは、露光時間Ｄを長くすべく、算定時間Ｂは短くなる。そして、露光時間Ｄの経過後、ＣＣＤ３の受光部に蓄積された電荷は、一定の時間（以下、「転送時間」という。）Ｅ内にＣＣＤ３から自動利得制御回路７に画像データとして転送される。
【００２２】
これらの算定時間Ｂと露光時間Ｄに基づいて、ＤＳＣ制御装置４に接続された信号処理部９からタイミングジェネレータ１１に制御信号が出力される。タイミングジェネレータ１１は、制御信号をサンプルパルスとしてＣＣＤ駆動部１２に出力し、ＣＣＤ駆動部１２の動作を制御する。ＣＣＤ駆動部１２は、タイミングジェネレータ１１に制御され、露光時間Ｄおよび転送時間Ｅだけ電子シャッタが作動するようにする。
【００２３】
そして、ＤＳＣ制御装置４には、シャッタボタンその他の各種スイッチ（図示せず）や表示部１３、ＤＲＡＭ１４、メモリーカード１５などが接続されている。表示部１３は、ＶＲＡＭや液晶画面などの表示装置から構成され、レンズ部１からＣＣＤ３に入力された被写体像を連続して映し出すファインダとして使用されるとともに、電子シャッタが作動した時に、ＣＣＤ３に入射した被写体像を静止画として映し出す機能を備えている。
【００２４】
また、ＤＲＡＭ１４は、ＤＳＣ制御装置４に入力された電気信号を画像データとして格納する。この画像データは、必要に応じてＤＳＣ制御装置４へ入力され、要求される信号形式に変換される。メモリーカード１５は、画像データや撮影日時などの画像情報などを記録する媒体で、カメラボディに着脱できるようにされている。
【００２５】
一方、銀塩撮影するための銀塩カメラ制御装置５は、前記ＤＳＣ制御装置４との間で信号が入出力され、ピントを合わせるために前記レンズ部１のモータを作動させる自動焦点制御部１６、撮影レンズ６と銀塩フィルム（図示せず）との間に介在するレンズシャッタ（図示せず）を制御する露出制御部１７、さらにキセノン管１０などを備えたストロボ装置２などが接続されている。
【００２６】
露出制御部１７は、銀塩カメラ制御装置５によって制御され、レンズシャッタが所定の時間および大きさで開くように制御する。さらに、銀塩カメラ制御装置５は、被写体が暗い場合に自動的に、または逆光時のような背景に対して被写体が暗い場合は手動により、キセノン管１０を発光させる。ストロボ装置２は、ストロボトリガがＯＮとなり、キセノン管１０が励起するまでの励起時間Ａが経過した後に、キセノン管１０が発光するようにされている。ストロボトリガがＯＮとなった信号は、ＤＳＣ制御装置４にも入力される。
【００２７】
次に、銀塩フィルムに撮影された被写体像を表示部１３で確認する方法について図２および図３を参照しながら説明する。まず、シャッタボタン（図示せず）が中押しされることにより（Ｓ１）、被写体までの距離を測定し、自動焦点制御部１６によってレンズ部１の撮影レンズ６が移動し、ピントが合わされる（Ｓ２）。
【００２８】
次に、ＤＳＣ制御装置４が被写体までの距離およびＡＧＣゲイン、そして所定の定数とからＣＣＤガイドナンバーを算出する（Ｓ３）。このＣＣＤガイドナンバーに基づいて、ＤＳＣ装置はストロボ装置２のキセノン管１０が発光した後、電子シャッタが作動するまでの算定時間Ｂを算出する（Ｓ４）。そして、ＤＳＣ制御装置４は、この算定時間Ｂと、ストロボトリガがＯＮとなった時点からキセノン管１０が発光を開始するまでの励起時間Ａを加算した蓄積開始時間Ｃを算出する（Ｓ５）。
【００２９】
そして、シャッタボタンが全押しされると（Ｓ６）、レンズシャッタが徐々に開き始め、銀塩フィルムが露光される。被写体が暗い場合は自動的に、または逆光時のような背景に対して被写体が暗い場合は手動により、シャッタボタンが全押しされてから所定時間経過後に、図３に示すようにストロボトリガがＯＮとなる（Ｓ７）。
【００３０】
ストロボトリガがＯＮとなってから、励起時間Ａが経過した後に、キセノン管１０が発光する。キセノン管１０は、励起した直後に急激に明るく発光し、ピークに到達した後、次第に発光しなくなる。
【００３１】
一方、レンズシャッタは、キセノン管１０が発光し始める直前から開き始め、被写体が最適な光量で照明された後に閉じられる。図３においては、キセノン管１０が完全に発光しなくなった後も開き続け、その後にレンズシャッタが閉じる場合を示しているが、被写体を照明する光量が少なくてよい場合は、レンズシャッタはキセノン管１０が発光している途中から閉じるようにされる。いずれにしても、キセノン管１０が発光し、被写体が最適な光量で照明されるようにレンズシャッタが開閉することにより、被写体は銀塩フィルムに最適な明るさの画質で銀塩撮影される。
【００３２】
そして、ストロボトリガがＯＮとなった時点から、キセノン管１０が励起するまでの励起時間Ａと、前記ステップ４において算出された算定時間Ｂとを加算した蓄積開始時間Ｃが経過した時に、電子シャッタが作動し、それまでにＣＣＤ３の受光部に蓄積された不要電荷がオーバーフロードレインに掃き出され（Ｓ８）、露光時間Ｄだけ被写体像がＣＣＤ３の受光部に入射して電荷として蓄積される（Ｓ９）。したがって、ＣＣＤ３の受光部には、最適な明るさの画像データを得られるように電荷が蓄積される。
【００３３】
露光時間Ｄが経過すると同時にキセノン管１０の発光が終了し、受光部に蓄積された電荷は、転送時間Ｅ内に画像データとしてＣＣＤ３から信号処理部９へ転送される（Ｓ１０）。この画像データは、ＤＳＣ制御装置４によって静止画として表示部１３に表示される（Ｓ１１）。この表示部１３には、最適な明るさの画質で電子撮影された被写体像が映し出されているため、表示部１３に映し出された被写体像の画質を、銀塩フィルムに銀塩撮影された被写体像の画質と判断することができる。
【００３４】
したがって、表示部１３に映し出された静止画が悪い画質であると、銀塩フィルムにも悪い画質で銀塩撮影されていると考えられるため、撮影し直すことにより、プリントしたときに撮影が失敗していたことに気付くという事態を防止することができる。そして、表示部１３の静止画がよい画質で映し出されていると、銀塩フィルムもよい画質で銀塩撮影されていると考えられるため、撮影し直す必要がなく、銀塩フィルムを無駄使いしなくてよいようにすることができる。
【００３５】
本発明は、特許請求の範囲に記載された技術的事項の範囲内において種々変更することができる。例えば、本発明のカメラは、銀塩フィルムに露光する銀塩撮影の機能を備えず、電子撮影の機能だけのカメラでも、ストロボ装置を使用したときに、最適な明るさの画質で電子撮影することができる。
【００３６】
【発明の効果】
本発明によれば、露光時間が被写体までの距離および被写体の明るさに基づいて算出されることにより、ストロボ撮影時において、光電変換によって作られる電荷を、撮像素子の受光部に必要十分なだけ蓄積することができ、被写体を最高の画質で電子撮影することができる。この結果、特に、銀塩フィルムに露光する銀塩撮影の機能も有している安価なカメラにおいて、無駄な二度撮影をすることが解消され、銀塩フィルムを有効に使用することができるようになる。
【図面の簡単な説明】
【図１】本発明に係るカメラの一実施形態を示すブロック図
【図２】本発明に係るカメラの一実施形態の動作を示すフローチャート
【図３】本発明に係るカメラの一実施形態の動作を示すタイムチャート
【符号の説明】
２  ストロボ装置
３  撮像素子（ＣＣＤ）
１２  表示部
Ｄ  露光時間
【図１】
2004328368.tif 000003
【図２】
2004328368.tif 000004
【図３】
2004328368.tif 000005